(57)【特許請求の範囲】
【請求項１】
浴室内に設置されるバスタブの洗い場側側面の後端部と洗い場の隣設する壁パネルとの間に取り付けられるカウンターの取付構造であって、
前記バスタブの洗い場側側面をバスタブエプロンと該バスタブエプロンに連続し壁パネルに固定される壁パネル固定部を有したカウンター固定部材とで形成すると共に、カウンター本体の長手方向の両端部と後端部に固定部を一体形成し、前記カウンター固定部材を、その壁パネル固定部の端縁と壁パネルの複数のパネル材の接続部とで形成される位置決め手段を介して壁パネルに固定して、該カウンター固定部材に、カウンター本体の長手方向の一方の端部に形成された固定部を固定すると共にカウンター本体の長手方向の他方の端部に形成された固定部と後端部に形成された固定部を壁パネルに固定することによって、該カウンター本体の前端部を除く左右端部と後端部をそれぞれ固定したことを特徴とするカウンターの取付構造。
【請求項２】
前記カウンター固定部材は、カウンター本体のバスタブ側端部に一体形成された固定部が載置係合されるカウンター係合部を有し、該係合部に前記固定部を載置係合させた状態で、カウンター固定部材にカウンター本体の固定部が固定されることを特徴とする請求項１記載のカウンターの取付構造。
【発明の詳細な説明】
【０００１】
【発明の属する技術分野】
本発明は、例えばシステムバス等の浴室の洗い場の壁パネル側に設けられるカウンターの取付構造に関する。
【０００２】
【従来の技術】
従来、浴室のカウンターは、図７に示すように、格子状金具１０１とＬ型金具１０２、１０３からなる取付金具によって、浴室の洗い場の隣設する壁パネル１０４、１０５部分の設置空間１０８に取り付けられている。格子状金具１０１は、その交差部が溶接、ネジ等で固定された左右方向の１枚の水平板１０１ａ及び前後方向の２枚の水平板１０１ｂと、水平板１０１ａの両端部に下方に向けて固定された２枚の垂直板１０１ｃとで形成されている。
【０００３】
各水平板１０１ａ、１０１ｂは、その一端部が壁パネル１０５、１０４にネジ１０６でそれぞれ固定され、垂直板１０１ｃは、その下端が洗い場フロアーに蝶ボルト等によって固定されている。また、Ｌ型金具１０２は壁パネル１０４に所定間隔でネジ１０６で固定され、Ｌ型金具１０３は壁パネル１０５にネジ１０６で固定されている。
【０００４】
そして、カウンター１００の取り付けは、先ず、洗い場フロアーに支持されると共に壁パネル１０４、１０５に固定された格子状金具１０１と、壁パネル１０４、１０５に固定されたＬ型金具１０２、１０３上に、例えば人工大理石で形成されたカウンター１００の裏面支持部をそれぞれ載置する。次に、格子状金具１０１やＬ型金具１０２に設けた取付孔から、カウンター１００の裏面固定部にネジをネジ込むことによって、カウンター１００が取付金具を介して、壁パネル１０４、１０５とバスタブのバスタブエプロン１０７との間に形成される前記設置空間１０８に設置される。
【０００５】
【発明が解決しようとする課題】
しかしながら、このカウンター１００の取付構造にあっては、バスタブエプン１０７が取り外し可能に配置されることから、格子状金具１０１の水平板１０１ａのバスタブ側の端部である左端部を固定することができず、図に示すような所定の隙間ｔ１を有するフリーな状態に設定されている。そのため、この格子状金具１０１上に載置固定されるカウンター１００の左端部１００ａとバスタブエプロン１０７との間にも隙間ｔ２が生じ易い上に、カウンター１００の左端部１００ａがフリーな状態となって固定されておらず、カウンター１００の取付状態が不安定になり易いという問題点を有している。
【０００６】
そこで、このカウンター１００の取付状態の不安定さを解消するために、カウンター１００のバスタブ側端部を、バスタブ本体に固定したバスタブ側板に支持させる取付構造も提案されているが、この取付構造においても、カウンターのバスタブ側端部はバスタブ側板に単に支持されているのみで固定されておらず、取付状態の安定化の面で不十分であるという問題点を依然として有している。
【０００７】
また、上記取付構造にあっては、バスタブエプロン１０７が取り外し可能で、その配置位置と洗い場の壁パネル１０５との間隔寸法（すなわち設置空間１０８の間隔寸法）Ｌ２を精度良く設定することが困難であるため、この間隔寸法Ｌ２と例えば樹脂成形で精度良く設定されたカウンター１００の長手方向の全長Ｌ１とを的確に合わせることが現実的に難しい。その結果、設置空間１０８へのカウンター１００の良好な収まり状態が得られ難く、例えばカウンター１００の外周縁とバスタブエプロン１０７間等に隙間が生じる等、カウンター１００の取付状態における見栄えが劣る場合があるという問題点を有している。
【０００８】
さらに、カウンター１００の設置空間１０８への取り付けに、格子状金具１０１と３つのＬ型金具１０２、１０３からなる取付金具を必要とするため、格子状金具１０１自体の組付作業が必要になったり、長さの長い水平板１０１ａの使用により格子状金具１０１の設置空間１０８への出し入れ作業が面倒になる等、カウンター１００の施工作業が複雑かつ面倒になり易く、また、取付金具自体の部品数が多くなって部品コストがアップし、施工コストのアップを招き易いという問題点も有している。
【０００９】
本発明は、このような事情に鑑みてなされたもので、その目的は、カウンター本体のバスタブ側端部を確実に固定支持できて、安定した取付状態と設置空間への良好な収まり状態が容易に得られると共に、カウンター本体とカウンター固定部材の位置決めが容易に行えて、カウンター本体の壁パネルへの固定作業が容易となり取付作業性を向上させ得るカウンターの取付構造を提供することにある。
【００１０】
【課題を解決するための手段】
かかる目的を達成するために、本発明のうち請求項１記載の発明は、浴室内に設置されるバスタブの洗い場側側面の後端部と洗い場の隣設する壁パネルとの間に取り付けられるカウンターの取付構造であって、前記バスタブの洗い場側側面をバスタブエプロンと該バスタブエプロンに連続し壁パネルに固定される壁パネル固定部を有したカウンター固定部材とで形成すると共に、カウンター本体の長手方向の両端部と後端部に固定部を一体形成し、前記カウンター固定部材を、その壁パネル固定部の端縁と壁パネルの複数のパネル材の接続部とで形成される位置決め手段を介して壁パネルに固定して、該カウンター固定部材に、カウンター本体の長手方向の一方の端部に形成された固定部を固定すると共にカウンター本体の長手方向の他方の端部に形成された固定部と後端部に形成された固定部を壁パネルに固定することによって、該カウンター本体の前端部を除く左右端部と後端部をそれぞれ固定したことを特徴とする。
【００１１】
このように構成することにより、例えば人工大理石等で形成されたカウンター本体は、長手方向の一方の端部であるバスタブ側端部が、バスタブの洗い場側側面を形成するカウンター固定部材に壁パネル固定部の端縁と壁パネルの複数のパネル材の接続部で形成される位置決め手段を介して固定されて、洗い場の隣設する壁パネル部分に形成される設置空間に設置される。この時、カウンター固定部材の壁パネル固定部が壁パネルに固定され、このカウンター固定部材にカウンター本体の端部が固定されると共に、カウンター本体の反バスタブ側端部や後端部を壁パネルに固定すること等により、カウンター本体の前端部を除く左右端部と後端部がそれぞれ確実に固定支持されて、カウンター本体の取付状態が安定する。
【００１２】
また、カウンター固定部材が壁パネルの所定位置に固定されることから、設置空間の間隔寸法をカウンター本体の長さ寸法に対応して精度良く設定できて、カウンター本体の設置空間への収まり状態が良好になると共に、カウンター固定部材の壁パネルへの固定が位置決め手段で位置決めされることから、カウンター固定部材を壁パネルの所定位置に容易に固定できて、カウンターの取付作業性が向上する。
【００１３】
また、請求項２記載の発明は、カウンター固定部材が、カウンター本体のバスタブ側端部に一体形成された固定部が載置係合されるカウンター係合部を有し、該係合部に前記固定部を載置係合させた状態で、カウンター固定部材にカウンター本体の固定部が固定されることを特徴とする。このように構成することにより、カウンター本体のバスタブ側端部の固定部が、カウンター固定部材のカウンター係合部に載置係合された状態で固定されることから、カウンター本体とカウンター固定部材との位置決めが容易に行えると共に、カウンター本体のバスタブ側端部が確実に固定支持されて、カウンター本体の取付状態がより安定する。
【００１４】
【発明の実施の形態】
以下、本発明の実施の形態を図面に基づいて詳細に説明する。
図１〜図６は、本発明に係わるカウンターの取付構造の一実施例を示し、図１がその分解斜視図、図２が取付状態の正面側の断面図、図３がその側面側の断面図、図４及び図５がカウンター固定部材の側面図及び正面図、図６がカウンター本体の収まり状態の説明図である。
【００１５】
図１〜図３において、カウンター１は、平面視で略長方形状に形成されたカウンター本体２と、このカウンター本体２の前端部２ａ下部に垂直状態で配置されるカウンターエプロン３を有している。前記カウンター本体２は、例えば人工大理石によってその全長Ｌ１（図６参照）が、後述する如く所定寸法に設定されると共に、その長手方向の略中央部分には、前方に円弧形状に膨らみ、かつ長手方向の左右端部２ｂ、２ｄに対して例えば僅かに高く設定された洗面器置き部４が一体形成されている。
【００１６】
また、カウンター本体２には、左右端部２ｂ、２ｄ後方と後端部２ｃに下方に突出した板状の固定部５ａ〜５ｃが一体形成され、この固定部５ａ〜５ｃには複数の取付孔６がそれぞれ穿設されている。なお、カウンター本体２の後端部２ｃには、全長に亘って立ち上がり壁２ｅが一体形成されると共に、その中央には水栓の配管等のための凹部７が形成されている。また、カウンター本体２の裏面には所定形状のリブ８が一体形成され、このリブ８に連なる状態で所定位置に複数個の金具固定リブ部９が一体形成されている。
【００１７】
前記カウンターエプロン３は、図１及び図３に示すように、その長手方向の略中央上部にカウンター本体２の洗面器置き部４に対応して前方に膨らんだ膨出部３ａが形成されると共に、左右両端の上部角部には、必要に応じて、カウンター本体２の前端部２ａ角部が載置係合する係合部３ｂがそれぞれ形成されている。
【００１８】
また、このように形成されたカウンター本体２の左端部２ｂが固定されるバスタブは、図１に示すように、その洗い場側側面１１が、それぞれ樹脂によって成形された、バスタブエプロン１２とカウンター固定部材１３の２分割構造に形成されている。そして、バスタブエプロン１２は、バスタブ本体の洗い場側の開口部分に図示しない着脱機構で着脱可能に配置され、カウンター固定部材１３は壁パネル１８に固定されている。
【００１９】
このカウンター固定部材１３は、図４及び図５に示すように、洗い場側の固定面１３ａの後端部に設けられて壁パネル１８に固定される壁パネル固定部１４と、固定面１３ａの所定高さ位置に設けられてカウンター本体２の左端部２ｂが載置係合されるカウンター係合部１５と、壁パネル固定部１４と反対側の端面に設けられてバスタブエプロン１２の端部が連結される連結部１６と、カウンター係合部１５の下部に穿設された配管用の開口部１７等を有して、樹脂（人工大理石を含む）によって一体成形されている。なお、このカウンター固定部材１３には、その裏面にリブ２０が設けられており、このリブ２０の所定位置にはカウンター固定リブ部２１が一体形成されている。
【００２０】
そして、前記壁パネル固定部１４には複数個の取付孔１４ａが穿設されると共に、その端縁１４ｂが垂直の直線状に設定されて、この端縁１４ｂと、図６に示す壁パネル１８の２枚のパネル材１８ａ、１８ｂの接続部１８ｃとで位置決め手段が形成されている。
【００２１】
また、前記カウンター係合部１５は、水平壁部１５ａと、この水平壁部１５ａの後端に連結された傾斜壁部１５ｂと、水平壁部１５ａの前端に形成された前方垂直壁部１５ｃ及び前記カウンター固定リブ部２１近傍の固定面１３ａ等で形成されている。そして、図４及び図５に二点鎖線で示すように、カウンター本体２の固定部５ａの下端が水平壁部１５ａと傾斜壁部１５ｂ上にそれぞれ載置された状態で、固定部５ａの前端が前方垂直壁部１５ｃに当接することで前後方向の位置が決定され、固定部５ａの側面（外面）が固定面１３ａに当接することで左右方向の位置が決定されている。すなわち、カウンター係合部１５は、カウンター本体２の固定部５ａの形状に略対応した形状に設定されている。
【００２２】
次に、前記カウンター１の取付方法の一例について説明する。先ず、図２及び図３に示すように、１枚の水平板１０ａとこの水平板１０ａの両端部にネジ止め等された２枚の垂直板１０ｂからなる取付金具１０を準備する。この時、取付金具１０は、その水平板１０ａの長さを従来のようにカウンター本体２の全長Ｌ１に亘る長さに設定する必要がなく、全長Ｌ１より短い長さに設定されると共に、水平板１０ａの両端部に下方に指向させて垂直板１０ｂをそれぞれ固定すればよいことから、その形状が簡略化されている。
【００２３】
そして、取付金具１０を準備したら、カウンター固定部材１３を壁パネル１８に次のようにして固定する。すなわち、カウンター固定部材１３の壁パネル固定部１４を、その取付孔１４ａを利用して壁パネル１８の所定位置にネジ２９で固定する。その際、壁パネル固定部１４の端縁１４ｂ（位置決め手段）を、壁パネル１８の２枚のパネル材１８ａ、１８ｂの接続部１８ｃ（位置決め手段）に合わせて位置決めしつつ固定する。この時、壁パネル１８の接合部１８ｃが上下方向の直線で形成されていることから、この直線に壁パネル固定部１４の直線状の端縁１４ｂを容易に一致させることができて、位置決め作業が容易となる。
【００２４】
このカウンター固定部材１３の壁パネルへ１８の固定により、図６に示すカウンター固定部材１３と壁パネル１９間の間隔寸法（すなわち設置空間３０の間隔寸法）Ｌ２が、所定寸法に設定される。また、壁パネル１８のパネル材１８ｂの幅Ｌ３（もしくは壁パネル１９と壁パネル１８の接続部１８ｃ間の寸法Ｌ３）が予め所定値に設定されていること、及びカウンター固定部材１３が壁パネル１８に位置決めされつつ固定されていること等から、設置空間３０の間隔寸法Ｌ２は、カウンター本体２の全長Ｌ１に対応した寸法（Ｌ２＝Ｌ３＋ｗ、但しｗはカウンター固定部材１３の壁パネル固定部１４の突出寸法）に略等しく設定されることになる。
【００２５】
そして、カウンター固定部材１３を壁パネル１８に固定した状態で、カウンター本体２を設置空間３０内にはめ込み、左端部２ｂの固定部５ａをカウンター固定部材１３のカウンター係合部１５に前述したように載置係合させる。この載置係合により、カウンター本体２の外周の固定部５ａ〜５ｃがカウンター固定部材１３の固定面１３ａや壁パネル１８、１９に略当接した状態となり、この状態で図２及び図３に示すように、カウンター本体２の左端部２ｂをネジ２２でカウンター固定部材１３のカウンター固定リブ部２１に固定すると共に、カウンター本体２の後端部２ｃの取付部５ｂを壁パネル１８に、また右端部２ｄの取付部５ｃを壁パネル１９にネジ２２でそれぞれ固定する。
【００２６】
カウンター本体２をカウンター固定部材１３と壁パネル１８、１９に固定したら、次に取付金具１０をカウンター本体２の下部空間内に位置させて、取付金具１０の水平板１０ａの両端に穿設された取付孔から、ネジをカウンター本体２の前記金具固定リブ部９にねじ込み、カウンター本体２に取付金具１０を固定する。また、上端部がカウンター本体２に固定された取付金具１０の垂直板１０ｂの下端を、洗い場フロアー２４（洗い場防水パン）に固定されている蝶ボルト２５に蝶ナット２６で固定する。
【００２７】
次にこの状態で、カウンター本体２の前端部２ａ裏面に設けられたエプロン嵌合溝２ｆ（図３参照）にカウンターエプロン３の上端部をはめ込み、このカウンターエプロン３の下端を前記蝶ボルト２５に固定された取付板２７に取付ネジ２８で固定することにより、カウンターエプロン３がカウンター本体２に取り付けられて、カウンター本体２の前端部２ａ下部の開口がカウンターエプロン３で閉塞される。これにより、カウンター１の設置空間３０への施工、すなわちカウンター１の取付作業が終了する。
【００２８】
なお、以上の取付構造では、取付金具１０を使用してカウンター本体２を洗い場フロアー２４に支持させたが、カウンター本体２の左右端部２ｂ、２ｄと後端部２ｃが、壁パネル１８に固定されたカウンター固定部材１３や壁パネル１８、１９に直接固定されて所定の取付強度が得られること、あるいはカウンターエプロン３にカウンター本体２の前端部２ａの支持強度を持たせること等により、取付金具１０を省略することもできる。また、取付金具１０として単に垂直板１０ｂのみを使用することも勿論可能であるし、カウンターエプロン３の固定構造も適宜に変更できる。さらに、以上の取付方法は一例であって、例えば取付金具１０の上端部をカウンター本体２に固定した後に、カウンター本体２を壁パネル１８、１９等に固定する等、取付作業のし易い適宜の取付方法を採用することができる。
【００２９】
このように、上記実施例のカウンター１の取付構造にあっては、カウンター本体２の左右端部２ｂ、２ｄと後端部２ｃに下方に突出した板状の固定部５ａ〜５ｃを一体成形し、この固定部５ａ〜５ｃの取付孔６を利用してネジ２２により、固定部５ａ〜５ｃをカウンター固定部材１３や壁パネル１８、１９に固定する構造であるため、カウンター本体２を壁パネル１８、１９に直接的にあるいはカウンター固定部材１３を介して間接的に固定することができる。
【００３０】
特に、カウンター本体２の左端部２ｂの固定部５ａが、バスタブの洗い場側側面１１を兼ねかつ壁パネル１８に固定されるカウンター固定部材１３に固定されることから、従来固定されずにフリーな状態となっていたカウンター本体２の左端部２ｂを固定することができる。その結果、カウンター本体２の後端部２ｃは勿論のこと、長手方向の左右端部２ｂ、２ｄを確実に固定支持することができて、カウンター本体２に安定した取付状態を得ることが可能になり、例えば安全性の面での向上が図れる。
【００３１】
また、カウンター固定部材１３の壁パネル固定部１４の端縁１４ｂを位置決め手段とし、これを壁パネル１８の位置決め手段としての２枚のパネル材１８ａ、１８ｂの接続部１８ｃに位置決めして、カウンター固定部材１３を壁パネル１８に固定するため、カウンター固定部材１３と壁パネル１９で形成される設置空間３０の間隔寸法Ｌ２を所定寸法に容易に設定することができ、この間隔寸法Ｌ２に対応してカウンター本体２の全長Ｌ１を予め設定することで、設置空間３０内にカウンター本体２を良好に収めて取り付けることができる。
【００３２】
その結果、取付状態のカウンター本体２の外周縁と、カウンター固定部材１３（バスタブの洗い場側側面１１）や壁パネル１８、１９との間に所定値以上の隙間の形成がなくなり、見栄えの良い良好な取付状態が得られると共に、例えばカウンター本体２の外周縁と壁パネル１８、１９等とのシーリング作業を容易に行うことができる。
【００３３】
さらに、カウンター本体２に一体形成された固定部５ａ〜５ｃがカウンター固定部材１３や壁パネル１８に直接固定されることから、従来のような複雑な形状の格子状金具１０１等を使用することなく、設置空間３０にカウンター１を設置することができて、取付作業自体が容易に行えると共に、取付金具１０の組付作業が容易になり、かつカウンター固定部材１３の壁パネル１８への位置決め作業も容易になる等、カウンター１の取付作業が簡略化されて簡単に取り付けることが可能になる。
【００３４】
また、取付金具１０を使用しない場合は勿論のこと、取付金具１０を使用する場合であっても、カウンター本体２がカウンター固定部材１３や壁パネル１８、１９に直接所定の強度で固定支持される構造であるため、取付金具１０自体の構成を簡略化することができると共に、１つの取付金具１０の使用でよく、従来のような複雑な形状の格子状金具１０１や複数個のＬ型金具１０２、１０３等が不要になって、取付用の部品点数を大幅に削減することができる。その結果、取付用の部品コストを低減させることができて、カウンター１の施工コストの低減化を図ることが可能になる。
【００３５】
なお、上記実施例において、カウンター本体２の各端部２ｂ〜２ｄに設けられる固定部５ａ〜５ｃの位置や個数は一例であって、例えば左右端部２ｂ、２ｄに複数箇所設けたり、後端部２ｃに分割状態で複数箇所設ける等、カウンター本体２の大きさや材質による重量の大小によって適宜に変更することができる。また、上記実施例における、カウンター本体２の固定部５ａ〜５ｃの形状やこれに対応するカウンター固定部材１３のカウンター係合部１５の形状、カウンター本体２あるいはカウンターエプロン３の形状、カウンター本体２とカウンターエプロン３の連結構造等も一例であって、本発明に係わる各発明の要旨を逸脱しない範囲において種々変更することができる。
【００３６】
【発明の効果】
以上詳述したように、請求項１記載の発明によれば、バスタブの洗い場側側面を形成するカウンター固定部材がその壁パネル固定部で壁パネルに固定され、このカウンター固定部材にカウンター本体の端部が固定されるため、カウンター本体の反バスタブ側端部と後端部を例えば壁パネルに固定すること等により、カウンター本体の前端部を除く左右端部と後端部をそれぞれ固定することができて、カウンター本体を確実に固定支持してその取付状態を安定化させることができる。また、カウンター固定部材が壁パネルの所定位置に固定されるため、洗い場の隣り合う壁パネル部分に形成される設置空間の間隔寸法を、カウンター本体の長手方向の全長に対応して精度良く設定できて、カウンター本体の設置空間内への収まり状態が良好となって、カウンターの見栄えの向上を図ることができると共に、カウンター固定部材の壁パネルへの固定が壁パネル固定部の端縁と複数のパネル材の接続部からなる位置決め手段で位置決めされるため、カウンター固定部材を壁パネルの所定位置に容易に固定できて、カウンターの取付作業性を向上させることができる。
【００３７】
また、請求項２記載の発明によれば、請求項１記載の発明の効果に加え、カウンター本体のバスタブ側の端部に一体形成した固定部が、カウンター固定部材のカウンター係合部に載置係合された状態で固定されるため、カウンター本体とカウンター固定部材の位置決めが容易に行えると共に、カウンター本体のバスタブ側端部を確実に固定支持することができて、カウンターの取付状態をより安定化させることができる。
【図面の簡単な説明】
【図１】本発明に係わるカウンターの取付構造の一実施例を示す分解斜視図
【図２】同その取付状態の正面側の断面図
【図３】同その側面側の断面図
【図４】同カウンター固定部材の側面図
【図５】同その正面図
【図６】同カウンター本体の収まり状態の説明図
【図７】従来のカウンターの取付構造を示す概略平面図
【符号の説明】
１・・・・・・・・・カウンター
２・・・・・・・・・カウンター本体
３・・・・・・・・・カウンターエプロン
４・・・・・・・・・洗面器置き部
５ａ〜５ｃ・・・・・固定部
１０・・・・・・・・取付金具
１１・・・・・・・・洗い場側側面
１２・・・・・・・・バスタブエプロン
１３・・・・・・・・カウンター固定部材
１３ａ・・・・・・・固定面
１４・・・・・・・・壁パネル固定部
１４ｂ・・・・・・・端縁（位置決め手段）
１５・・・・・・・・カウンター係合部
１５ａ・・・・・・・水平壁部
１５ｂ・・・・・・・傾斜壁部
１５ｃ・・・・・・・前方垂直壁部
１８、１９・・・・・壁パネル
１８ａ、１８ｂ・・・パネル材
１８ｃ・・・・・・・接続部（位置決め手段）
２１・・・・・・・・カウンター固定リブ部
２４・・・・・・・・洗い場フロアー
３０・・・・・・・・設置空間
【図１】
0003589628.tif 000002
【図２】
0003589628.tif 000003
【図３】
0003589628.tif 000004
【図４】
0003589628.tif 000005
【図５】
0003589628.tif 000006
【図６】
0003589628.tif 000007
【図７】
0003589628.tif 000008